(57)【特許請求の範囲】
【請求項１】
下記の一般式（１）で表されるイオン性有機化合物
【化１】
0005414069.tif 000015
（式中、Ａは置換基を有してもよいシクロヘキサン環または芳香環を１個以上有する連結部位からなる連結部位、Ｘは１価のアニオンを示す。ｎは２もしくは３、ｍは１〜８００の整数を示す。）
【請求項２】
（Ａ）両末端に４−(クロロメチル)ベンズアミド基を有し、置換基を有してもよいシクロヘキサンジアミド化合物又は芳香族ジアミド化合物と、（Ｂ）両末端に（ジメチルアミノ）アルキレン基を有するアゾベンゼンジアミド化合物を、縮合反応させることを特徴とする請求項１に記載のイオン性有機化合物の製造方法。
【請求項３】
前記縮合反応をジメチルホルムアミド中で、５０〜８０℃で行うことを特徴とする請求項２に記載のイオン性有機化合物の製造方法。
【請求項４】
さらに、得られたイオン性有機化合物のアニオンをアニオン交換反応により他のアニオンに置換することを特徴とする請求項２又は３に記載のイオン性有機化合物の製造方法。
【請求項５】
請求項１に記載のイオン性有機化合物を有効成分とする光応答性高分子電解質。
【発明の詳細な説明】
【技術分野】
【０００１】
本発明は、イオン性有機化合物とその製造方法、並びに該イオン性有機化合物を利用した光に応答して主鎖構造変化を起こす高分子電解質に関する。
【背景技術】
【０００２】
光エネルギーの利用は、自然界における光合成に代表されるように、省エネルギーの観点から重要である。機能性高分子においても、光応答性を有する高分子は広く研究され、例えば、非特許文献１では、フォトクロミック化合物として知られるアゾベンゼンを、分子内に組み込んだ高分子の薄膜が、光照射によって自在に屈曲する材料となることが知られている（非特許文献１）。
【０００３】
他方、有機高分子の中で、主鎖中に電荷を有する高分子電解質は、一種の固体電解質として種々の電気化学的な応用が期待される材料である。この高分子電解質の構造に、光応答性のフォトクロミック化合物を組み入れた例は、側鎖として導入された場合には、PAZOの慣用名で知られるアゾベンゼン系高分子が、既に化学試薬として市販されている程度に一般的であるが、主鎖中に直接導入した例は、非特許文献２，３に知られる限られた例のみである。もし、光照射により効率よく主鎖構造の大きな変化が誘起できれば、固体電解質としてのイオン伝導度のスイッチング等が可能な新規有機材料となり得る。
【先行技術文献】
【非特許文献】
【０００４】
【非特許文献１】Y.L.Yu,  M.Nakano,  T.Ikeda,  Nature,425,145(2003).
【非特許文献２】J.-D.Hong,  B.-D.Jung,  C.H.Kim,  K.Kim,  Macromolecules,33,7905(2000).
【非特許文献３】B.-D.Jung,  J.-D.Hong,  A.Voigt,  S.Leporatti,  L.Dahne,  E.Donath,  H.Mohwald,  Colloids  and  Surfaces,198-200,483(2002).
【特許文献】
【０００５】
【特許文献１】特開２００８−２４８２２４号公報
【特許文献２】国際公開第２０１０／０２７０６７号
【発明の概要】
【発明が解決しようとする課題】
【０００６】
以上のように、光照射によりその主鎖構造及び物性変化が可能な高分子電解質はごく少数のみ知られてきた。本発明は、こうした現状を鑑みてなされたものであって、新しい構造の光応答性高分子電解質を提供することを目的とするものである。
【課題を解決するための手段】
【０００７】
本発明者らは、先に共重合型の新規高分子電解質の合成法を見出し出願した（特許文献１、２）。本発明は、さらに上記の共重合法を発展させた、新たなイオン性有機化合物、並びにそれを利用した光応答性高分子電解質の合成に関するものである。
【０００８】
すなわち、本発明は、（Ａ）両末端に４−(クロロメチル)ベンズアミド基を有し、置換基を有してもよいシクロヘキサンジアミド化合物又は芳香族ジアミド化合物と、（Ｂ）両末端に（ジメチルアミノ）アルキレン基を有するアゾベンゼンジアミド化合物を、縮合反応させることにより、一般式（１）で表されるイオン性有機化合物を合成したもので、つぎの［１］〜［５］の構成を採用する。
【０００９】
［１］下記の一般式（１）で表されるイオン性有機化合物。
【化１】
0005414069.tif 000002
（式中、Ａは置換基を有してもよい、シクロヘキサン環または芳香環を１個以上有する連結部位、Ｘは１価のアニオンを示す。ｎは２もしくは３、ｍは１〜８００の整数を示す。）
［２］（Ａ）両末端に４−(クロロメチル)ベンズアミド基を有し、置換基を有してもよいシクロヘキサンジアミド化合物又は芳香族ジアミド化合物と、（Ｂ）両末端に（ジメチルアミノ）アルキレン基を有するアゾベンゼンジアミド化合物を、縮合反応させることを特徴とする上記［１］のイオン性有機化合物の製造方法。
［３］前記縮合反応をジメチルホルムアミド中で、５０〜８０℃で行うことを特徴とする上記［２］のイオン性有機化合物の製造方法。
［４］さらに、得られたイオン性有機化合物のアニオンをアニオン交換反応により他のアニオンに置換することを特徴とする上記［２］又は［３］のイオン性有機化合物の製造方法。
［５］上記［１］のイオン性有機化合物を有効成分とする光応答性高分子電解質。
【発明の効果】
【００１０】
本発明のイオン性有機化合物は、高分子電解質、特に光応答性高分子電解質として有効である。光応答性高分子電解質は、光スイッチ機能を有する擬固体電解質として好適に用いられる。本発明は簡単な工程によって、光応答性高分子電解質として優れた性状を有する新規な化合物を効率よく製造することを可能にするものであり、反応試薬の組み合わせによる物性の制御あるいは機能性官能基の導入による機能性高分子電解質の合成開発に新たな道を拓くものである。
【図面の簡単な説明】
【００１１】
【図１】本発明の光応答性高分子電解質の紫外―可視吸収スペクトルを示す図。
【発明を実施するための形態】
【００１２】
本発明のイオン性有機化合物は、下記の一般式（１）で表される。
【化１】
0005414069.tif 000003
（式中、Ａは置換基を有してもよい、シクロヘキサン環または芳香環を１個以上有する連結部位、Ｘは１価のアニオンを示す。ｎは２もしくは３、ｍは１〜８００の整数を示す。）
【００１３】
上記一般式（１）で表される本発明のイオン性有機化合物は、（Ａ）両末端に４−(クロロメチル)ベンズアミド基を有し、置換基を有してもよいシクロヘキサンジアミド化合物又は芳香族ジアミド化合物と、（Ｂ）両末端に（ジメチルアミノ）アルキレン基を有するアゾベンゼンジアミド化合物を縮合反応およびそれに続くアニオン交換反応により得られる。縮合反応溶媒は、ジメチルホルムアミド等の極性有機溶媒を使用することが望ましいが、これに限定されるものではない。また、反応時間は１２〜４８時間が好ましい。反応温度は５０〜８０℃程度、特に８０℃程度とすることが好ましい。イオン性有機化合物の重合度（ｍ）は１〜８００、好ましくは１０〜３００である。アニオン交換反応の溶媒は、水を使用することが望ましいが、これに限定されるものではない。また、アニオン交換反応時間は５分から１時間程度が好ましい。反応温度は８０〜１００℃程度とすることが好ましい。
【００１４】
（Ａ）両末端に、４−(クロロメチル)ベンズアミド基を有するシクロヘキサンジアミド化合物または芳香族ジアミド化合物の具体例としては、trans−１，４−ビス［（４−クロロメチル）ベンズアミド］シクロヘキサン、４，４’−ビス［（４−クロロメチル）ベンズアミド］ベンズアニリドが挙げられる。
【００１５】
また、（Ｂ）両末端に（ジメチルアミノ）アルキレン基を有するアゾベンゼンジアミド化合物の具体例としては、(E)-4,4'-（ジアゼン-1,2-ジイル)ビス(N-(2-(ジメチルアミノ)エチル)ベンズアミド)、および(E)-4,4'-（ジアゼン-1,2-ジイル)ビス(N-(3-(ジメチルアミノ)プロピル)ベンズアミド)が挙げられる。
【００１６】
上記した一般式（１）で表される、好ましいイオン性有機化合物としては、つぎの一般式（A1）で表される化合物が例として挙げられる。
【化２】
0005414069.tif 000004
【００１７】
（式中、Ｘはハロゲンイオン（Ｆ，Ｃｌ，Ｂｒ，Ｉ）、ビス（トリフルオロメタンスルホニル）アミド基（TFSA）、テトラフルオロホウ酸基（ＢＦ４）、ヘキサフルオロリン酸基（ＰＦ６）、チオシアネート（ＳＣＮ）、硝酸基（ＮＯ３）、硫酸基（ＳＯ４）、チオ硫酸基（Ｓ２Ｏ３）、炭酸基（ＣＯ３）、炭酸水素基（ＨＣＯ３）、リン酸基、亜リン酸基、次亜リン酸基、各ハロゲン酸化物酸基（ＸＯ４，ＸＯ３，ＸＯ２，ＸＯ：  Ｘ＝Ｃｌ，Ｂｒ，Ｉ）、トリス（トリフルオロメチルスルホニル）炭素酸基、トリフルオロメチルスルホン酸基、ジシアンアミド基、酢酸基（ＣＨ３ＣＯＯ）、ハロゲン化酢酸基（（ＣＸｎＨ３−ｎ）ＣＯＯ，Ｘ＝Ｆ，Ｃｌ，Ｂｒ，Ｉ；ｎ＝１，２，３）、テトラフェニルホウ酸基（ＢＰｈ４）およびその誘導体（Ｂ（Ａｒｙｌ）４：Ａｒｙｌ＝置換フェニル基）から選ばれた少なくとも１種を示す。ｎは２もしくは３、ｍは１〜８００の整数を示す。）
【００１８】
上記方法で得られた一般式（１）で表されるイオン性有機化合物は、高分子電解質として優れた性状を有する。これらの化合物において、イオン性の４級化された窒素原子とカウンターアニオンがイオン電導性を発現するキャリアとなり、また、アゾベンゼン部位が紫外光照射と白色光照射によってシス―トランス異性化を起こすことによって、主鎖構造変化を誘起している。
【実施例】
【００１９】
以下、実施例により本発明を具体的に説明するが、以下の具体例は本発明を限定するものではない。以下の実施例において、イオン性有機化合物を製造する原料となる４−（クロロメチル）ベンゾイルクロリド、アゾベンゼン-4,4’-ジカルボニルクロリド、 N,N-ジメチルエチレンジアミン、N,N−ジメチルプロピレンジアミン、４，４’−ジアミノベンズアニリド、trans−１，４−ジアミノシクロヘキサンは東京化成工業から購入したものを用いた。脱水塩化メチレン、脱水テトラヒドロフラン（THF）、Ｎ，Ｎ−ジメチルホルムアミド（DMF）、ジメチルスルホキシド（DMSO）は、関東化学から購入したものを用いた。リチウムビス（トリフルオロメタンスルホニル）アミドは、キシダ化学から購入したものを用いた。分子量測定用のサイズ排除クロマトグラフィーシステム（島津製作所）は、カラムにＳｈｏｄｅｘ  Ａｓａｈｉｐａｋ  ＧＦ−５１０  ＨＱを使用した。フローレートは、０．４  ｍｌ／ｍｉｎとした。カラムの温度をカラムオーブン（島津製作所）により４０℃に保った。溶離液に３０ｍＭのリチウムビス（トリフルオロメタンスルホニル）アミドを含むＮ，Ｎ−ジメチルホルムアミドを使用した。示差屈折計検出器により得られたクロマトグラムを基にしてポリ（メチルメタクリレート）基準で分子量を算出した。
【００２０】
（実施例１）
(E)-4,4'-（ジアゼン-1,2-ジイル)ビス(N-(2-(ジメチルアミノ)エチル)ベンズアミド)の合成
【化３】
0005414069.tif 000005
【００２１】
アルゴン雰囲気下で、無水THF(20mL)中にN,N−ジメチルアミノエチレンジアミン（0.54mL,  4.88mmol）、トリエチルアミン(1.37mL,  9.78mmol)を導入し、氷冷下で滴下ロートを用いて、アゾベンゼン-4,4’-ジカルボニルクロリド(0.5g,  1.63mmol)を含む無水THF（20mL）を加え、そのまま終夜で攪拌した。減圧下で溶媒を除去し、塩化メチレン50mLで三回抽出を行った後、飽和食塩水および無水硫酸ナトリウムにより母液の乾燥を行った。溶液を濃縮後に、ジクロロメタン／ヘキサン混合溶媒による再結晶操作で、式（２）で表わされる目的化合物を橙色固体として得た（530mg、収率79%）。
【００２２】
1H  NMR(300  MHz,  DMSO-d6)：δ＝8.59（t，J＝5.64  Hz，-NH，1H)，8.07-7.99（m，4H)，3.39（t，J＝6.75  Hz，2H)，2.42（t，J＝6.75  Hz，2H)，2.18(s，6H).
UV/vis（DCM）：λmax＝333nm.
IR (塩化メチレン溶液，νmax/cm-1)：3550，3150，1659，1605，1510，1480，1460，1275，1260．
【００２３】
trans−１，４−ビス［（４−クロロメチル）ベンズアミド］シクロヘキサンの合成
【化４】
0005414069.tif 000006
【００２４】
無水塩化メチレン（200mL）中、トリエチルアミン（2.02g,  20mmol）存在下で、trans−１，４−ジアミノシクロヘキサン（1.14g,  10mmol）を懸濁させた後、４−（クロロメチル）ベンゾイルクロリド(3.78g,  20mmol)を含む無水塩化メチレン（50mL）溶液を、滴下ロートを用いて加え、室温で18時間攪拌を行った。生成した沈殿物を濾別し、塩化メチレンで洗浄した後、乾燥させることで目的物を無色粉末として得た（4.0g,  96%)。
【００２５】
1H  NMR（300  MHz,  DMSO-d6）：δ＝8.26（d，J＝7.9  Hz，2H，-NH），7.80（d，J＝8.2  Hz，4H，Ph-H），7.47（d，J＝8.3  Hz，4H，Ph-H），4.77（s，4H，-CH2Cl），3.73（br  s，2H，cyclohexyl-CH），1.86（d，J＝5.9  Hz，4H，cyclohexyl-CH2），1.42（t，J＝10.7  Hz，4H，cyclohexyl-CH2）．
IR(DMSO, νmax/cm-1)：3456，1648，1541，1504，1318，1228.
【００２６】
イオン性有機化合物の合成（Ｉ）
【化５】
0005414069.tif 000007
【００２７】
式（２）の化合物(0.080g，0.21mmol)、および（３）で表わされる化合物(0.090g,  0.21mmol)を、DMF（15mL）中、80℃で48時間攪拌した。室温まで冷却後に、沈殿物を濾別することで、上記の式（４）で表されるイオン性有機化合物を収率55％で得た。
IR(D2O，νmax/cm-1):1628,1574,1451,1233,1210,1156．
後述するTFSAアニオン交換誘導体の結果より、サイズ排除クロマトグラフィーの測定から求められた分子量分布において、カチオン主鎖部分の数平均分子量：Mn＝2.35×104Da、重量平均分子量：Mw＝6.98×104Da、分子量分布の分散度：Mw/Mn＝2.9.
【００２８】
（実施例２）
上記の実施例１で得られた、式（４）で表わされるイオン性有機化合物を用いて、0.6×10-5M濃度の水溶液を調製し、その溶液を石英セル中に入れて水銀灯による紫外光照射を行ったところ、図１に示すような、照射時間に依存した紫外吸収スペクトルの変化が観測された。
なお、図中、uvは、紫外線光照射、visは、可視光照射を示す。
図１から、330nm付近の、トランス体アゾベンゼンに由来する吸収極大ピークが時間と共に減少し、それと共に長波長側の440nm付近の吸収強度が増大して、シス体の生成が起こっていることが示唆された。この変化は、下記の式に示すようなアゾベンゼンの光照射による構造異性化に典型的な吸収スペクトル変化であり、主鎖中のアゾベンゼン部位が効率よく光に応答して異性化していることを表している。また、この異性化後の溶液に、長波長側の可視光を照射することによって、シス体からトランス体への戻り反応が起こり、当初のスペクトル形状が回復することも確認された。
【００２９】
【化６】
0005414069.tif 000008
【００３０】
（実施例３）
イオン性有機化合物の合成（II）：アニオン交換反応
【化７】
0005414069.tif 000009
【００３１】
上記実施例１で得られた式（４）で表される高分子電解質（５０  ｍｇ）を８０℃で水（２０  ｍＬ）に溶かし、その溶液に０．４M濃度のリチウムビス（トリフルオロメタンスルホニル）アミド（Li-TFSA）水溶液（５  ｍL）を加えると、上記の式（５）で表される光応答性高分子電解質の沈殿物が生じた（収率87％）。
【００３２】
1H  NMR（300MHz，DMSO-d6）：δ＝9.04（-NH），8.39（-NH），8.09-7.96（m），7.65-7.69（m），4.68（s），3.85（br  s），3.56（br  s），3.07（s,-N+(CH3)2-），1.91（br  s），1.50（br  s）．
サイズ排除クロマトグラフィーの測定から求められた分子量分布において、カチオン基を有する主鎖部分の数平均分子量：Mn＝2.35×104Da、重量平均分子量：Mw＝6.98×104Da、分子量分布の分散度：Mw/Mn＝2.9.
【００３３】
（実施例４）
(E)-4,4'-（ジアゼン-1,2-ジイル)ビス(N-(3-(ジメチルアミノ)プロピル)ベンズアミド)の合成
【化８】
0005414069.tif 000010
【００３４】
前述した式（２）で表わされる化合物の合成において、N,N−ジメチルアミノエチレンジアミンの代わりに、N,N−ジメチルプロピレンジアミンを用いることで、式（６）で表わされる目的化合物を得た（収率96％）。
【００３５】
1H  NMR（300  MHz，DMSO-d6）：δ＝8.71（t，J＝5.61  Hz，-NH，1H)，8.07-7.97（m，4H)，3.30（t，J＝6.90  Hz，2H），2.27（d，J＝7.02  Hz，2H），2.09（s，6H），1.69-1.65（q，2H）．
IR(DCM, νmax/cm-1)：3564，2953，1652，1605，1554，1431，1242，1100.
UV/vis（DCM）：λmax＝334nm.
【００３６】
イオン性有機化合物の合成（III）
【化９】
0005414069.tif 000011
【００３７】
上記実施例１の縮合反応において、式（２）で表わされる化合物の代わりに式（６）のアゾベンゼン化合物を用いて反応を行い、上記式（７）の光応答性高分子電解質を得た（収率70%）。
【００３８】
（実施例５）
４，４’−ビス［（４−クロロメチル）ベンズアミド］ベンズアニリドの合成
【化１０】
0005414069.tif 000012
【００３９】
上記実施例１において、trans−１，４−ジアミノシクロヘキサンの代わりに４，４’−ジアミノベンズアニリドを用いて反応を行い、上記式（８）の目的物を得た（収率99％）。
IR(DMSO，νmax/cm-1):3458,1662,1517,1403,1317,1278,1184.
【００４０】
イオン性有機化合物の合成
【化１１】
0005414069.tif 000013
【００４１】
上記、実施例４の縮合反応において、式（３）で表わされるアミド化合物の代わりに、上記式（８）のアミド化合物を用いて反応を行い、上記式（９）のイオン性有機化合物を得た（収率70%）。
【００４２】
IR（D2O，νmax/cm-1)：1651，1574，1516，1458，1438，1383，1230，1162．
後述するTFSAアニオン交換誘導体の結果より、サイズ排除クロマトグラフィーの測定から求められた分子量分布において、カチオン基を有する主鎖部分の数平均分子量：Mn＝1.81×104Da、重量平均分子量：Mw＝3.21×104Da、分子量分布の分散度：Mw/Mn＝1.8.
【００４３】
（実施例５）
イオン性有機化合物の合成：アニオン交換反応
【化１２】
0005414069.tif 000014
【００４４】
上記実施例２において、式（４）のイオン性有機化合物の代わりに、上記式（９）のイオン性有機化合物を用いて、上記の式（１０）で表されるイオン性有機化合物の沈殿物が生じた（収率85％）。
【００４５】
1H  NMR（300  MHz，DMSO-d6）：δ＝10.61（-NH），10.35（-NH），10.18（-NH），8.09-7.86（m），7.76-7.70（m），4.63（s），3.34（br  s），3.01（s，-N+(CH3)2-），2.14（br  s）．
サイズ排除クロマトグラフィーの測定から求められた分子量分布において、カチオン基を有する主鎖部分の数平均分子量：Mn＝1.81×104Da、重量平均分子量：Mw＝3.21×104Da、分子量分布の分散度：Mw/Mn＝1.8.
【産業上の利用可能性】
【００４６】
本発明で得られるイオン性有機化合物は、擬固体高分子電解質として、電池のような蓄電デバイスに用いることが可能と考えられる。さらに光応答性高分子電解質は、イオン伝導度を光刺激によって制御し得る性質を利用した、スイッチング素子としての利用も期待できる。
【図１】
0005414069.tif 000016